(57)【要約】【目的】生後すぐから使用でき、しかも大人も快適に着座可能な椅子を提供すること、及び食事や作業等に適した形態にも、リラックスして休息することに適した形態にも成り得る椅子を提供すること。【構成】両端が同一方向に屈曲された棒体より成る一対の側枠と当該側枠の端部同士を連結する２本の横枠とで形成されたフレームと、各側枠に沿って摺動可能であるとともに、任意位置で固定可能な三個ずつのホルダーと、対向するホルダー間に掛け渡される棒体たる３本のシート支持部材と、側枠間に張設されると共に、その上端及び下端がシート支持部材で保持されるシートとにより構成した椅子。更に、側枠を嵌め込むための切り欠きを２箇所設けた板材より成る座席部を備える。
2015004765.tif 000002
【特許請求の範囲】
【請求項１】
両端が同一方向に屈曲された棒体より成る一対の側枠（１１）と、当該側枠（１１）の端部同士を連結する２本の横枠（１２）と、で形成されたフレーム（１０）と、
各側枠（１１）に沿って摺動可能であるとともに、任意位置で固定可能な三個づつのホルダー（５０）と、
対向するホルダー（５０）間に掛け渡される棒体たる３本のシート支持部材（４０）と、
側枠（１１）間に張設されると共に、その上端及び下端がシート支持部材（４０）で保持されるシート（２０）と、
により成る椅子。
【請求項２】
側枠（１１）を挿通可能な孔部（５３）を有するホルダー本体（５１）と、当該ホルダー本体（５１）に螺合可能なホルダーキャップ（５２）を有し、ホルダーキャップ（５２）を螺合することで側枠（１１）を押圧し、もって側枠（１１）に固定可能に設けたホルダー（５０）を備えた請求項１記載の椅子。
【請求項３】
側枠（１１）を嵌め込むための切り欠き（３１）を２箇所設けた板材より成る座席部（３０）を備えた請求項１又は２に記載の椅子。
【発明の詳細な説明】
【技術分野】
【０００１】
本発明は、乳幼児用の成長に合わせて高さ調整可能であり、乳幼児から大人まで利用可能な椅子に関し、更には食事や作業に適した椅子としても、リラックスするための椅子としても利用可能な椅子に関する。
【背景技術】
【０００２】
乳幼児用の成長に合わせて高さ調整可能な椅子として、従来図２４に示すようのものがある。この椅子は側枠１に複数の溝部２が設けられており、足載せ台３及び座席部４を任意の溝部２に嵌めこむことが可能な構造となっている。側枠１から前方に突出する形状で設けられる態勢維持部材５内に乳幼児の身体を入れ、座席部４に座らせることで使用するものである。【０００３】
かかる構造ゆえに、乳幼児の成長に応じて座席部４や足載せ台３の嵌め込み位置を変えることが可能となり、態勢維持部材５を取り外せば、大人も着座可能なものである。【０００４】
高さ調整可能な椅子として、特許文献１には座席に該当するシート部材及び背もたれの高さを調整可能とする幼児用椅子が開示されている。【０００５】
特許文献２には補助脚を用いることで高さ調整可能とした幼児用椅子が開示されている。【０００６】
特許文献３には座席を支持する脚部と、補助脚との固定位置を複数のボルト孔を設けることで可変とし、もって高さ調整可能とした椅子が開示されている。
【先行技術文献】
【特許文献】
【０００７】
【特許文献１】特開２０１１−２２４３６９号公報
【特許文献２】登録実用新案公報第３０８７９５３号
【特許文献３】実開平５−１３２４８号公報
【発明の概要】
【発明が解決しようとする課題】
【０００８】
乳幼児用品は子供の成長により、使用期間が短く限定され、成長に応じて最適な器具に買い換える必要がある。乳幼児用椅子も例外ではなく、図に示すような、乳幼児から大人まで使用出来る椅子も存在するが、乳幼児のサイズを基準に設定されているため、大人が使用する際に快適に使用出来るものではない。【０００９】
また、上記した幼児用椅子はいずれも、概ね生後六ヶ月程度から使用可能なものであり、生後すぐから使用出来るものではない。【００１０】
そこで本発明は、生後すぐから使用でき、しかも大人も快適に着座可能な椅子を提供することを目的とする。【００１１】
また、上記した高さ調整可能な椅子は、いずれも食事や作業には適したものであるが、リラックスして休息することには不向きなものである。【００１２】
そこで本発明は食事や作業等に適して形態にも、リラックスして休息することに適した形態にも成り得る椅子を提供することを目的とする。
【課題を解決するための手段】
【００１３】
上記の目的を達成する本発明の構成は次の通りである。【００１４】
（１）  請求項１に記載の発明は、両端が同一方向に屈曲された棒体より成る一対の側枠と当該側枠の端部同士を連結する２本の横枠とで形成されたフレームと、各側枠に沿って摺動可能であるとともに、任意位置で固定可能な三個づつのホルダーと、対向するホルダー間に掛け渡される棒体たる３本のシート支持部材と、側枠間に張設されると共に、その上端及び下端がシート支持部材で保持されるシートとにより構成した。【００１５】
（２）請求項２に記載の発明は、請求項１記載の椅子の構成部材であるホルダーを、側枠を挿通可能な孔部を有するホルダー本体と、当該本体に螺合可能なホルダーキャップを有し、ホルダーーキャップを螺合することで側枠を押圧し、もって側枠に固定可能に構成した。【００１６】
（３）請求項３に記載の発明は、請求項１又は２に記載の椅子において、側枠を嵌め込むための切り欠きを２箇所設けた板材より成る座席部を備えて構成した。
【発明の効果】
【００１７】
上記のように構成される本考案が、如何に作用して課題を解決するかを図面を参照しながら概説する。【００１８】
図１に示すように本発明に係る椅子は、両端が同一方向に屈曲された一対の側枠１１，１１間に張設されるシート２０と、板状の座席部３０により着座可能に構成されるものである。具体的にはシート２０の上端及び下端はシート支持部材４０に固定されており、一方でシート２０の中間位置では、図４に示すように、シート支持部材４０により裏面から固定されることなく支持される。【００１９】
しかも、シート支持部材４０は、側枠１１上を摺動するホルダー５０の動きに伴い、任意位置で固定することが可能である。【００２０】
かように構成されるが故に、中間位置に存するシート支持部材４０の位置を変えることで、図１に示すように座席部３０の位置を高い位置に持ってきて、幼児用の椅子としての利用を可能としたり、或るいは図５に示すように、座席部３０を低い位置に持ってくることで、大人用の椅子としての利用も可能となるのである。【００２１】
また、図９及び図１０に示すように、本発明に係る椅子は、乳児を寝かせた状態で載置する椅子としても利用可能なものである。すなわち、座席部３０を取り外すと共に、フレーム１０を横枠１２が接地する形態で使用し、且つ、ホルダー５０の位置すなわちシート支持部材４０の位置を、一方端に位置するホルダー５０を最も高い位置に、他方端及び中間位置に存するホルダー５０を側枠１１の屈曲部位１１aに位置せしめることで、シート２０を長尺にわたって湾曲した形状に、つまりはコット状に形成することが可能となる。【００２２】
このシート２０の湾曲した部位に、乳児を寝かせることが可能となるのである。【００２３】
また、図１や図５に示すようにフレーム１０を立てて使用する、すなわち側枠１１の屈曲部位１１aの一方及び当該屈曲部位１１a，１１a間に架け渡される横枠１２が床に接する形態で使用し、且つ、座席部３０を側枠１１に嵌めこんで使用する場合は、本発明は座席と背もたれを持った椅子、すなわち、着座者が背筋を垂直方向に伸ばして使用する、つまりは食や作業等に向いた椅子となる。【００２４】
他方で、図７や図８に示すように、フレーム１０を倒して使用する、すなわち横枠１２，１２が床に接する形態で使用し、且つ、座席部３０は取り外して使用する場合は、本発明はシート２０上に身体全体を預け横たわる形態での利用が可能となり、すなわちリラックスして休息することが可能な椅子となるのである。
【図面の簡単な説明】
【００２５】
【図１】本考案の斜視図
【図２】同、正面図
【図３】同、右側面図
【図４】同、背面図
【図５】座席を下方に移動させた状態の斜視図
【図６】同、右側面図
【図７】本発明をリラックス用の椅子として実施した場合の斜視図
【図８】同、側面図
【図９】乳児用の椅子として実施した場合の斜視図
【図１０】同、側面図
【図１１】側枠の側面図
【図１２】横枠の正面図
【図１３】同、斜視図
【図１４】シートの正面図
【図１５】同、底面図
【図１６】シート支持部材の正面図
【図１７】ホルダー本体の正面図
【図１８】同、正面、平面、右側面側から見た斜視図
【図１９】同、背面、平面、左側面がわからみた斜視図
【図２０】ホルダーキャップの正面図
【図２１】同、正面、平面、右側面側から見た斜視図
【図２２】ホルダー、側枠及びシート支持部材の関係を示す説明図
【図２３】座席部の斜視図
【図２４】従来例の斜視図
【発明を実施するための形態】
【００２６】
以下、好ましい発明の一実施形態につき、図面を参照しながら概説する。なお、本発明の実施の形態は、下記の実施形態に何ら限定されることはなく、本発明の技術的範囲に属する限り種々の形態を採りうる。
【００２７】
本発明に係る椅子はフレーム１０、シート２０、座席部材３０、ホルダー５０及びシート支持部材４０を主な構成要素とする。以下、それぞれについて詳述する。
【００２８】
フレーム１０は、一対の側枠１１，１１と当該側枠１１，１１の端部同士を連結する２本の横枠１２とにより成るものである。
【００２９】
図１１は側枠１１の側面図である。側枠１１は、両端が同一方向に屈曲された棒体である。側枠１１はパイプで形成されており、屈曲部位１１ａ，１１ａと、その間に存する上下に伸びる直線部位１１ｂとは、ジョイント１１ｃで連結されている。
【００３０】
むろんこれは一例であり、一体成型しても良いし、パイプではなく棒材を使用しても構わない。
【００３１】
図１２は横枠の正面図であり、図１３は同斜視図である。図１や図５に示すように、横枠１２は両端が屈曲したパイプ体であり、当該屈曲した両端部１２ａ，１２ａを側枠１１，１１の端部に嵌め込むことで一対の側枠１１，１１を連結し、持ってフレーム１０を形成するものである。
【００３２】
むろんこれは一例であり、パイプではなく棒材を使用しても構わない。
【００３３】
図１４はシート２０の正面図であり、図１５は同底面図である。シート２０は方形の樹脂製マットであり、その両端を折り返し端縁を縫着することで袋部２１が形成されている。この袋部２１にはシート支持部材４０を挿通するものである。
【００３４】
シート２０の素材としては、樹脂以外にも繊維素材、その他通常の座席シートとして利用可能な任意素材を使用可能である。
【００３５】
図１６はシート支持部材４０の正面図（ｂ）および平面図（ａ）を示すものである。シート支持部材４０はパイプ体であり、その両端付近は肉厚に形成され、ネジ溝４０ａが設けてある。このネジ溝４０ａに、後述のホルダー５０に内蔵されるボルトを螺合することで、ホルダー５０により支持固定されるものである。
【００３６】
ホルダー５０はホルダー本体５１と、ホルダーキャップ５２とにより成る。
【００３７】
ホルダー本体５１は、図１７乃至図１９に示すように、正面側及び背面側に側枠１１を挿通させるための孔部５３を有し、右側面開口部５４の周面にはホルダーキャップ５２を螺合するためのネジ５３ａが設けてある。左側面側に存する円筒形部材５５内には、シート支持部材４０を取付けるためのボルト５６が内装されている。円筒形部材５５の基端部近傍には、ラバー５７ａを嵌めこむための凹部５８が設けられている。
【００３８】
図２０はホルダーキャップ５２の正面図であり、図２１は正面、平面、右側面側から見た斜視図である。ホルダーキャップ５２の内周面には、ホルダー本体５１に設けたネジ溝５３ａと螺合するネジ溝５２ａが設けてある。また、ラバー５７ｂを嵌め込むための箱体５９が、右側面側に設けられている。
【００３９】
図２２はホルダー５０、側枠１１及びシート支持部材４０の関係を示す説明図である。
【００４０】
シート支持部材４０に設けたネジ溝４０ａを、ホルダー本体５１に内装されたボルト５６に螺合することで、シート支持部材４０がホルダー５０に固定されるものである。
【００４１】
また、ホルダー５０内に挿通される側枠１１を、ラバー５７ａ，５７ｂで押圧挟持することで、ホルダー５０を側枠１１上の任意位置において固定可能とするものである。
【００４２】
ラバー５７ａ，５７ｂは、ホルダーキャップ５２をホルダー本体５１に螺合することで、着座時の重量によってもホルダー５０が側枠１１から滑り落ちない程度の肉厚及び材質のものを採用するものである。
【００４３】
図２３は座席部３０の斜視図である。座席部３０は略方形の板材であり、前方両端に側枠１１に嵌め込むための切欠き３１が設けてある。材質は樹脂、木材等を利用可能である。
【符号の説明】
【００４４】
１０・・フレーム
１１・・側枠
１２・・横枠
２０・・シート
３０・・座席部
３１・・切り欠き
４０・・シート支持部材
５０・・ホルダー
５１・・ホルダー本体
５２・・ホルダーキャップ
５３・・孔部
【図１】
2015004765.tif 000003
【図２】
2015004765.tif 000004
【図３】
2015004765.tif 000005
【図４】
2015004765.tif 000006
【図５】
2015004765.tif 000007
【図６】
2015004765.tif 000008
【図７】
2015004765.tif 000009
【図８】
2015004765.tif 000010
【図９】
2015004765.tif 000011
【図１０】
2015004765.tif 000012
【図１１】
2015004765.tif 000013
【図１２】
2015004765.tif 000014
【図１３】
2015004765.tif 000015
【図１４】
2015004765.tif 000016
【図１５】
2015004765.tif 000017
【図１６】
2015004765.tif 000018
【図１７】
2015004765.tif 000019
【図１８】
2015004765.tif 000020
【図１９】
2015004765.tif 000021
【図２０】
2015004765.tif 000022
【図２１】
2015004765.tif 000023
【図２２】
2015004765.tif 000024
【図２３】
2015004765.tif 000025
【図２４】
2015004765.tif 000026
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
両端が同一方向に屈曲された棒体より成る一対の側枠（１１）と、当該側枠（１１）の端部同士を連結する２本の横枠（１２）とで形成されたフレーム（１０）と、各側枠（１１）に沿って摺動可能であるとともに、任意位置で固定可能な三個づつのホルダー（５０）と、対向するホルダー（５０）間に掛け渡される棒体たる３本のシート支持部材（４０）と、側枠（１１）間に張設されると共に、その上端及び下端がシート支持部材（４０）で保持されるシート（２０）とにより成る椅子において、
側枠（１１）を挿通可能な孔部（５３）を有するホルダー本体（５１）と、
当該ホルダー本体（５１）に螺合可能なホルダーキャップ（５２）を有し、ホルダーキャップ（５２）を螺合することで側枠（１１）を押圧し、もって側枠（１１）に固定可能に設けたホルダー（５０）を備えた椅子。
【請求項２】
側枠（１１）を嵌め込むための切り欠き（３１）を２箇所設けた板材より成る座席部（３０）を備えた請求項１に記載の椅子。
【請求項３】
（削除）
【国際調査報告】
2015004765.tif 000027
2015004765.tif 000028
2015004765.tif 000029
2015004765.tif 000030